(57)【要約】【課題】防草など被覆シートの本来の機能を発揮させつつ、植物の生育環境の適正化を行う。【解決手段】経糸と緯糸を緻密に織って遮光性を有するシート状に形成されるとともに、複数個所に経糸及び緯糸の目を飛ばして形成され通水性及び通気性を有する粗目部を備えた被覆シート１１でハウス１２内の地面１３を覆う。被覆シート１１の被覆は、植物の株元を含めた畝１３ａの上面に行い、その被覆シート１１の上に敷設した散水のための散水管１５から、被覆シート１１の上に散水する。【選択図】図１
2019187250.tif 000002
【特許請求の範囲】
【請求項１】
経糸と緯糸を緻密に織って遮光性を有するシート状に形成されるとともに、複数個所に経糸及び緯糸の目を飛ばして形成され通水性及び通気性を有する粗目部を備えた被覆シートでハウス内の地面を覆い、
前記被覆シートの上に散水を行う
ハウス栽培方法。
【請求項２】
前記被覆シートとして、前記粗目部を千鳥状に均等配置したものを用いる
請求項１に記載のハウス栽培方法。
【請求項３】
前記被覆シートの上に散水のための散水管を敷設して散水を行う
請求項１または請求項２に記載のハウス栽培方法。
【請求項４】
前記被覆シートで植物の株元を含めた栽培床の上面を被覆するとともに、
前記被覆シートの上に散水のための散水管を敷設して前記栽培床を被覆している前記被覆シートの上に散水する
請求項１または請求項２に記載のハウス栽培方法。
【請求項５】
経糸と緯糸を緻密に織って遮光性を有するシート状に形成されるとともに、複数個所に経糸及び緯糸の目を飛ばして形成され通水性及び通気性を有する粗目部を備えた被覆シートによってハウス内の地面が被覆されるとともに、
前記被覆シートの上に散水管が敷設され、
前記散水管から撒かれた水を前記被覆シートの上に流すとともに、前記粗目部から前記地面に浸み込ませる
ハウス内の散水部構造。
【請求項６】
前記被覆シートの前記経糸及び緯糸がテープヤーンで構成されるとともに、前記粗目部が千鳥状に均等配置されたものである
請求項５に記載のハウス内の散水部構造。
【請求項７】
前記被覆シートが植物の株元を含めた栽培床の上面に被覆された
請求項５または請求項６に記載のハウス内の散水部構造。
【請求項８】
前記被覆シートが界面活性剤を用いた親水化処理を施されたものである
請求項５から請求項７のうちいずれか一項に記載のハウス内の散水部構造。
【発明の詳細な説明】
【技術分野】
【０００１】
この発明は、例えばビニールハウスやトンネルなどのハウス内での植物の栽培方法に関する。
【背景技術】
【０００２】
ハウス栽培では、防草や地温上昇などのために地面を防草シートやマルチフィルムなどの被覆シートで覆うことがあった。この場合、散水は、例えば下記特許文献１に開示されているように被覆シートの下に敷設した散水管を利用して行っていた。
【０００３】
しかし、散水管から出た水は被覆シートの下の土を潤すが、水分のある地面は被覆シートによって上方の空間とは遮断されていた。つまり、ハウス内における植物の地上部を取り巻く空気、例えば湿度などの環境条件には、植物の地下部のそれと大きな隔たりが生じることがあった。
【０００４】
また、散水管は被覆シートに覆われているので、散水管のメンテナンスなどに際して被覆シートを剥がす必要があって、手間がかかった。そのうえ、散水管から水を噴出させても水は一定方向のみに流れるなど偏りが生じやすかった。
【先行技術文献】
【特許文献】
【０００５】
【特許文献１】実公昭５８−１０４４５号公報
【発明の概要】
【発明が解決しようとする課題】
【０００６】
この発明は、防草など被覆シートの本来の機能を発揮させつつ、植物の生育環境の適正化が行えるようにすることを主な目的とする。
【課題を解決するための手段】
【０００７】
そのための手段は、経糸と緯糸を緻密に織って遮光性を有するシート状に形成されるとともに、複数個所に経糸及び緯糸の目を飛ばして形成され通水性及び通気性を有する粗目部を備えた被覆シートでハウス内の地面を覆い、前記被覆シートの上に散水を行うことである。
【０００８】
この構成では、経糸と緯糸が緻密に織られており遮光性を有するので、被覆シートは被覆した部分の防草や保温を行う。その一方で、撒かれた水を粗目部に導いて粗目部から地面に浸透させる。また、被覆シートが被覆された地中の水分は、粗目部を通してハウス内の上方空間に蒸発し、還元される。
【発明の効果】
【０００９】
この発明によれば、被覆シートで防草や保温を行いつつも、被覆シートの粗目部を通して地面への水の浸透と地面からの水分の蒸発を行わせるので、これまで遮断されていたことによって生じていた環境の違いを緩和することができる。このため、例えばハウス内の湿度などの環境条件をより自然な状態にすることができて、植物の生育環境の適正化を図れる。
【図面の簡単な説明】
【００１０】
【図１】ハウス栽培方法を示す説明図。
【図２】被覆シートの表面図。
【図３】被覆シートの要部拡大図。
【図４】要部を模式的に描いた断面図。
【図５】作用状態を示す説明図。
【発明を実施するための形態】
【実施例】
【００１１】
この発明を実施するための一形態を、以下図面を用いて説明する。
【００１２】
図１に、ハウス栽培方法の概要を示す。ハウス栽培方法は、被覆シート１１で
ハウス１２内の地面１３を覆い、被覆シート１１の上に散水を行うというものである。
【００１３】
その被覆シート１１には、原則として非通水性で遮光性を有するが、部分的に通水性及び通気性を有する粗目部１４（図２、図３、図４参照）を備えたものが使用される。
【００１４】
すなわち、好ましい散水部構造１６は、被覆シート１１によってハウス１２内の地面１３が被覆されるとともに、被覆シート１１の上に散水管１５が敷設され、散水管１５から撒かれた水を被覆シート１１の上に流すとともに、粗目部１４から地面１３に浸み込ませる構成である。
【００１５】
被覆シート１１は、表面図である図２と、その要部の拡大図である図３に示したように、経糸１７と緯糸１８を緻密に織って遮光性を有するシート状に形成されるとともに、複数個所に経糸１７及び緯糸１８の目を飛ばして形成された前述の粗目部１４を備えた織物である。
【００１６】
この被覆シート１１は、適宜幅の帯状をなしており、経糸１７と緯糸１８には、合成樹脂、例えばポリプロピレンからなるテープヤーンが用いられる。経糸１７と緯糸１８の色は、遮光性を有するように暗色、例えば黒色である。
【００１７】
被覆シート１１に備えられる粗目部１４は、被覆シート１１の両側縁の耳部１１ａを除く全体に均等に配置されている。具体的には千鳥状に均等配置されている。
【００１８】
粗目部１４は、前述のように経糸１７及び緯糸１８の目を飛ばして形成されており、換言すれば経糸１７と緯糸１８が織り込まれずに、経糸１７又は緯糸１８が他方の表面に浮いた状態で存在する部分である。図２に示した例では、経糸１７が緯糸１８の表裏両面に引き揃えられた状態で存在する例を示している。
【００１９】
図３に粗目部１４の近傍を拡大して示し、図４に粗目部１４の断面構造を模式的に示している。図４は経糸１７の長手方向に沿って切断した断面状態である。
【００２０】
つまり、被覆シート１１の幅方向に並ぶ複数本の経糸１７は隣り合う経糸１７同士、互い違いに緯糸１８に織り込まれるが、粗目部１４では、複数の経糸１７、この例では４本の経糸１７のうち、１本隔てた２本の経糸１７が被覆シート１１の表面に、他の２本の経糸１７が被覆シート１１の裏面に、それぞれ適宜長さの範囲において浮いた状態になる。そして、経糸１７と緯糸１８の浮いた部分の間には、経糸１７と直交する緯糸１８が引き揃えられた状態で存在する。
【００２１】
経糸１７と緯糸１８は緻密に織られているので、粗目部１４に見える経糸１７は、他の部位よりも幅広となる。
【００２２】
浮かせる経糸１７の本数や経糸１７を浮かす部分の長さは、粗目部１４の間隔と共に、所望の通水性や通気性に応じて適宜設定される。
【００２３】
また、被覆シート１１は徒に水をはじかないように、親水化処理（濡れ性向上処理）をするとよい。親水化処理は、界面活性剤を用いて被覆シート１１を洗浄したり、界面活性剤を含有する層を表面に形成したりする適宜の方法で行われる。
【００２４】
ハウス栽培方法では、被覆シート１１をハウス１２内の地面１３における防草を行いたい部分や保温等をしたい部分に敷く。図１は被覆シート１１を敷いた状態を模式的に示したものであり、畝１３ａ（栽培床）と通路１３ｂの全体を覆った例を示している。
【００２５】
植物の栽培床である畝１３ａでは、図１の左側の畝１３ａのように、被覆シート１１に植物の株元を出す穴（図示せず）を開けて敷設するほか、図１の右側の畝１３ａのように、被覆シート１１の幅方向の縁部を植物の株元位置で突き合わせるように敷設することもできる。図示は省略するが、被覆シート１１の幅方向の縁部を植物の株元位置で突き合わせるように敷設する場合には、縁部が互いに重なり合うようにすると、遮光の確実性を高められるので良い。
【００２６】
畝１３ａと通路１３ｂの覆い方は、畝１３ａの幅と畝１３ａの高さと通路１３ｂの幅と被覆シート１１の幅に応じて適宜になされる。例えば、図１の左側の畝１３ａでは、１枚の被覆シート１１で畝１３ａの上面を被覆し、畝１３ａの左側の側面は通路１３ｂと共に別の一枚の被覆シート１１で被覆している。左側の畝１３ａの右側の側面と、それに続く右側の畝１３ａとの間の通路１３ｂは、別々の被覆シート１１で被覆している。
【００２７】
散水は、ハウス１２内に備えられた既存の手段や、別途備えられる手段で行ってもよいが、硬質のパイプや柔軟なチューブなどの散水管１５を用いる場合には、被覆シート１１の上に、その散水のための散水管１５を敷設するとよい。
【００２８】
散水管１５の敷設は、植物への給水を主な目的とする場合には畝１３ａに行うが、ハウス内の湿度調整を主な目的とする場合には、通路１３ｂのみに行ってもよい。
【００２９】
以上のような構成の散水部構造１６を用いてハウス１２内で植物を栽培すると、被覆シート１１を被覆した地面１３では、被覆シート１１の遮光性のため草の生育が抑制される。被覆シート１１には通水性と通気性を有する粗目部１４が形成されているが、粗目部１４は、複数本の経糸１７と緯糸１８が引き揃えられた状態で重なっており、しかも経糸１７と緯糸１８は緻密に織られるものであるので、粗目部１４でも遮光性は得られる。
【００３０】
また黒色の被覆シート１１の緻密な織物構造のため、保温や根の保護ができるとともに、果実の泥はねや土汚れなども防止できる。
【００３１】
このように、植物にとって良好な生育環境を得られる。
【００３２】
特に、図５に示したように、被覆シート１１で植物の株元を含めた畝１３ａの上面を被覆するとともに、被覆シート１１の上に散水のための散水管１５を敷設して畝１３ａを被覆している被覆シート１１の上に散水した場合には、被覆シート１１はテープヤーンからなる経糸１７と緯糸１８を緻密に織ったものであるので、水は容易に浸み込まずに被覆シート１１の上面を流れる。しかし、被覆シート１１の上面を流れた水は、粗目部１４において次々に、図５に矢印で示したように被覆シート１１を下に突き抜けて、地面１３に浸透する。
【００３３】
粗目部１４は千鳥状に均等配置されているので、水は特定箇所に集中して浸み込むことなく、万遍なく供給される。図５に示したように植物の株元とその周囲に被覆シート１１を被覆し、この被覆シート１１の上に散水した場合、植物にとって重要な上根の成長を促し、他方でその上根を被覆シート１１で保護する。
【００３４】
水が浸み込んだ地面１３からは、破線の矢印で示したように、粗目部１４を通して水分が蒸発し、ハウス１２内における被覆シート１１より上方の空間を潤す。
【００３５】
被覆シート１１を通路１３ｂに敷設し、その被覆シート１１の上に敷設した散水管１５から、又はその他の被覆シート１１の上に敷設された散水管１５から通路１３ｂの被覆シート１１に供給された水も前述と同様に、被覆シート１１の上面を流れて粗目部１４において地面１３に浸透する。また、通路１３ｂの被覆シート１１は、遮光性によって雑草が生えるのを抑制するとともに、粗目部１４を構成する浮いた経糸１７が作業員の歩行に際して滑り止めの機能を果たす。
【００３６】
また、被覆シート１１が界面活性剤を用いた親水化処理を施されたものであると、経糸１７と緯糸１８が水をはじかないので、被覆シート１１における透水性が得られ、特に粗目部１４における良好な通水性を得られる。
【００３７】
以上のように、被覆シート１１が防草作用を有するので除草作業の手間を削減できる上に、被覆シート１１は保温等により植物の生育を促進したり保護したりできる。しかも、被覆シート１１は粗目部１４において水分を通すので、被覆シート１１より下の環境とそれより上の環境の違いを緩和することができる。言い換えれば、防草作用を有する被覆シート１１で地面１３を覆ったために雑草はないが、あたかもその雑草があるかのように、雑草がもたらす蒸散作用と同様の作用を被覆シート１１に持たせることができる。このため、例えばハウス内の湿度を上げたい場合でも、機器によって加湿する必要はなく、ハウス内の湿度などの環境条件をより自然な状態にでき、植物にとって自然に近い環境を作り出せる。この結果、図１に示したようにハウス１２内の地面全体を被覆シート１１で被覆した場合でも、植物の生育環境を容易に適正にすることができ、植物の良好な生育を図ることができる。
【符号の説明】
【００３８】
１１…被覆シート
１２…ハウス
１３…地面
１３ａ…畝
１４…粗目部
１５…散水管
１６…散水部構造
１７…経糸
１８…緯糸
【図１】
2019187250.tif 000003
【図２】
2019187250.tif 000004
【図３】
2019187250.tif 000005
【図４】
2019187250.tif 000006
【図５】
2019187250.tif 000007